(57)【特許請求の範囲】
【請求項１】
単独処理浄化槽に配管接続することにより、排水の合併処理を可能とする合併処理化装置において、その合併処理化装置が、好気処理を行うための生物反応部と、その生物反応部の下流側にて排水の濾過を行うための濾過部とを有し、単独処理浄化槽との配管接続が、単独処理浄化槽の流出口から流出する排水を上記生物反応部へと流入させる移流管と、上記濾過部を洗浄した排水を単独処理浄化槽の嫌気処理部へと移送する洗浄排水移送管とによりなされ、前記濾過部の下流側に、濾過部から流出する排水の滅菌処理を行うための消毒槽を設け、その消毒槽に浴槽排水を流入させるための浴槽排水配管を接続させた合併処理化装置。
【請求項２】
生物反応部が、その上流側に流量調整槽を有し、単独処理浄化槽からの排水が上記流量調整槽を介して生物反応部へと流入する請求項１に記載される合併処理化装置。
【発明の詳細な説明】
【０００１】
【発明の属する技術分野】
本発明は、合併処理化装置に関する。
【０００２】
【従来の技術】
従来から、屎尿の浄化を行う装置としては、単独処理浄化槽を用いている。図６は、分離接触ばっ気方式の単独処理浄化槽を示す概略断面図である。屎尿は、流入口２から沈殿分離室３へと流入し、固液分離及び嫌気処理が行われ、接触ばっ気室４へと移流する。接触ばっ気室４内では、移流した水が散気管７から散気される空気の泡により攪拌されて接触材８に接触し、栄養基質の酸化除去が徐々に行われる。接触材８は、攪拌を継続していると生物膜が厚く堆積し閉塞するので、定期的に逆洗管９より空気泡を吐出することで生物膜を剥離させる。接触ばっ気室４を通過した水は、沈殿室５にて固形分の沈殿分離を行った後に、分離した上澄み液を消毒室６へと移流させ、滅菌処理を施した後に流出口１０より放流される。
【０００３】
【発明が解決しようとする課題】
しかしながら、単独処理浄化槽は、処理すべき水の種類が屎尿に限定され、台所排水、洗濯排水、洗面排水及び浴槽排水等の生活雑排水を処理できないとの課題を有している。このような問題は、既設の単独処理浄化槽を撤去して新たに合併処理浄化槽を設置することで解決できるが、施工費用が高額となるばかりでなく、多くの単独処理浄化槽がＦＲＰ製であることから、不要となった単独処理浄化槽の処分に関しても新たな問題を発生させる。また、単独処理浄化槽を掘り起こすことなく、埋め殺す場合には、処分に関する問題が発生しないものの、土地の有効活用ができないとの別の問題を発生させる。
【０００４】
本発明は、上記のような課題に鑑みてなされたものであり、既設の単独処理浄化槽を有効利用することで、単独処理浄化槽の処分問題を解決すると共に、新たに合併処理浄化槽を購入するよりも安価に生活雑排水を処理可能な合併処理化装置を提供することを目的とする。
【０００５】
【課題を解決するための手段】
本発明は、次のものに関する。
（１）単独処理浄化槽に配管接続することにより、排水の合併処理を可能とする合併処理化装置において、その合併処理化装置が、好気処理を行うための生物反応部と、その生物反応部の下流側にて排水の濾過を行うための濾過部とを有し、単独処理浄化槽との配管接続が、単独処理浄化槽の流出口から流出する排水を上記生物反応部へと流入させる移流管と、上記濾過部を洗浄した排水を単独処理浄化槽の嫌気処理部へと移送する洗浄排水移送管とによりなされ、濾過部の下流側に、濾過部から流出する排水の滅菌処理を行うための消毒槽を設け、その消毒槽に浴槽排水を流入させるための浴槽排水配管を接続させた合併処理化装置。
（２）生物反応部が、その上流側に流量調整槽を有し、単独処理浄化槽からの排水が上記流量調整槽を介して生物反応部へと流入する上記（１）に記載される合併処理化装置。
【０００６】
【発明の実施の形態】
本発明の合併処理化装置を配管接続する単独処理浄化槽は、少なくとも嫌気処理が行われる槽を有するものであれば特に限定されるものではなく、具体的には、従来技術にて説明したように、流入口及び流出口を有し、内部に上流側から沈殿分離室、接触ばっ気室、沈殿室、消毒室を設けたものを好適に用いることができる。
【０００７】
本発明に用いる合併処理化装置は、少なくとも好気処理を行う生物反応部と排水の濾過を行う濾過部とを有するものであれば特に限定されるものではない。生物反応部及び濾過部についてより具体的に述べると、一例としては、槽内に濾材を充填して濾材層を形成し、その濾材層の下部及び内部に散気管を設け、濾材層の内部に設置した散気管より上側の濾材層にて主に好気処理を行い、濾材層の内部に設置した散気管より下側の濾材層にて主に濾過を行うことができる。また、別の例としては、通水板により区画した上下２段の濾材層を形成すると共に各々の濾材層の下部に散気管を設置し、水を通水する際に上流側となる濾材層を生物反応部となし、下流側の濾材層を濾過部とすることができる。
【０００８】
生物反応部に用いる濾材は、微生物を多く保持可能であることから、網様円筒状、骨格様球状、へちま状、小円筒状、波板状、チューブ状、繊維絡み状等の合成樹脂製の成形体、独立気泡体又は連通気泡体を有した合成樹脂製の成形体、アンスラサイト（無煙炭）、珪砂、セラミック等の無機体を好適に用いることができる。
【０００９】
濾過部に用いる濾材は、生物反応部に用いた濾材と同様の濾材を好適に使用することができるが、異なるものでもよい。濾過を行う部分の底部に配置した散気管は、通常状態で継続的に空気泡の吐出を行うことがなく、濾材が静止状態を保ち濾過の行いやすい環境を維持させるが、継続して濾過を行っていると濾材に生物膜が厚く堆積するので、定期的に空気泡を吐出させて濾材の攪拌を行い、濾材から生物膜の剥離を行う。剥離させた生物膜は、単独処理浄化槽の嫌気処理部へと、洗浄排水移送管により移送させることが好ましい。
【００１０】
本発明に用いる移流管は、単独処理浄化槽から生物反応部へと排水を移流させるものであり、一端を単独処理浄化槽の流出口へと接続し、他端を合併処理化装置へと接続する。合併処理化装置側の接続箇所は、直接生物反応部へと移流するようにしても、一旦流量調整槽へ移流させてから生物反応部へと移流させるようにしてもよい。また、単独処理浄化槽の流出口上流側に消毒槽を設けている場合には、消毒槽内部の消毒薬剤を抜き取るようにする。
【００１１】
本発明に用いる洗浄排水移送管は、合併処理化装置の濾過部を洗浄した排水を単独処理浄化槽の嫌気処理部へと移送させるものであり、主には、濾過部の濾材から剥離させた生物膜を移送する。
【００１２】
本発明に用いる浴槽排水配管は、浴槽及び浴室からの排水を合併処理化装置に付設する消毒槽へと流入させる配管である。浴槽及び浴室にて発生する排水は、水の汚れが少なく、滅菌処理を行うだけでも放流可能な水質となる。このような処理については、汚れが少ない排水について行われるものであり、浴槽及び浴室からの排水以外に洗濯排水等もこのような処理が可能となる。
【００１３】
【実施例】
以下図面を用いて、本発明の実施例を説明する。図１は、本発明の実施例を示す、合併処理化装置を単独処理浄化槽に配管接続したものであり、（ａ）は概略平面図を示し、（ｂ）は概略側断面図を示す。単独処理浄化槽１は、既設のものであり、その内部構造は、上流側から第１流入口１１、嫌気処理室２２、接触ばっ気室２５、沈殿室２９、消毒室１６、第１流出口１２を設けている。そして、上記単独処理浄化槽１を用いて合併処理可能とするには、新たに本発明の合併処理化装置１５を設置する。
【００１４】
合併処理化装置１５は、その内部に生物濾過槽１７を有し、その生物濾過槽１７は、槽の上下に濾材の通過を妨げ排水を通過させる通水部材３０、３１、３２の設置を行い、上記通水部材３０、３１間及び通水部材３１、３２間に濾材を充填し、上側の濾材層を生物反応部１８となし、下側の濾材層を濾過部１９としている。生物反応部１８及び濾過部１９の下部には、散気部材２０、２１が設けられている。生物反応部１８の下部に設けられた散気部材２０は、好気処理を行うために使用されるものであり、常時空気泡の吐出を行っているが、濾過部１９の下部に設けられた散気部材２１は、生物膜の剥離を行う洗浄の際に使用されるもので、１日１回の空気泡の吐出を１〜３０分程度行う。また、濾過部１９の下流側には、処理水貯留部３４及び消毒槽３６を設けている。
【００１５】
単独処理浄化槽１と合併処理化装置１５との配管接続は、第１流出口１２と第２流入口１３とを移流管３８により接続することで行われ、この際、消毒室１６内の消毒薬剤は取り去るようにする。上記移流管３８は、水を単独処理浄化槽１から合併処理化装置１５へと移流させる。
【００１６】
水の流れについて説明すると、家庭から排出される屎尿、台所排水（ディスポーザ排水を含む）、洗面排水、洗濯排水及び浴槽・浴室排水（以下まとめて排水と言う）は、第１流入口１１から嫌気処理室２２へと流入して固液分離及び嫌気処理を行われ、接触ばっ気室２５にて栄養基質の酸化除去が行われる。接触ばっ気室２５を通過した排水は、沈殿室２９内で固形分の沈殿分離を行われ、消毒室１６から第１流出口１２を介して移流管３８へと流入する。
【００１７】
移流管３８を通過する排水は、第２流入口１３より合併処理化装置１５へと移流する。排水は、生物反応部１８にて散気部材２０からの空気泡の吐出による好気処理がなされ、その後濾過部１９にて生物反応部１８からの持込み酸素で好気処理を行いながら、固形物質の除去を行い、処理水貯留部３４へと移流する。排水は、処理水貯留部３４から消毒槽３６へと流入して滅菌処理を行われ、第２流出口１４から放流される。
【００１８】
濾過部１９は、継続して濾過を行うと、濾材に生物膜が厚く堆積して閉塞するので、定期的に散気部材２１から空気泡を吐出させて濾材の攪拌を行い、濾材から生物膜を剥離させる。濾過部１９の洗浄により、剥離された生物膜は、移送ポンプ２３を稼働させることで、洗浄排水引抜口３３から洗浄排水移送管２４へと引き抜かれ、嫌気処理室２２へと返送される。
【００１９】
図２は、図１に示す合併処理化装置に浴槽排水配管を設けた合併処理化装置の概略平面図を示す。浴槽・浴室排水は、数分間に約２００〜３００ｌという大量の排水を発生させる。そのため、生物濾過槽１７の容量を十分に大きく確保していない場合には、処理の行われない排水をそのまま放流することになりかねない。そのため、生物濾過槽１７の容量を十分に確保できない場合には、浴槽排水配管２６を合併処理化装置１５の消毒槽３６に接続させ、浴槽・浴室排水を他の排水とは別に処理することで、安定した処理を行うようにする。この際、浴槽排水配管２６には、流量調整弁２７を設けることが好ましく、上記流量調整弁２７を使用することで、排水を少量づつ安定して滅菌処理することができる。
【００２０】
図３は、本発明の合併処理化装置に、流量調整槽を設けた場合の概略側断面図を示す。本実施例では、排水を一旦流量調整槽２８に流入させ、そこからポンプ３５を用いて生物濾過槽１７へと移流させている。
【００２１】
図４は、図３に示す合併処理化装置に、流量調整弁を有した浴槽排水配管を接続した概略側断面図を示す。図４に示すように浴槽排水配管２６を設け、浴槽・浴室排水を他の排水とは別に処理する場合は、単独処理浄化槽１及び合併処理化装置１５への付加が少なくなり、より小型化した装置を製造することができる。
【００２２】
図５は、合併処理化装置と流量調整槽とを一体化せずに配管接続した合併処理化装置の概略側断面図を示す。このような構成であれば、地中に埋設するのは流量調整槽３７だけで済み、合併処理化装置１５は地上設置することが可能となる。
【００２３】
【発明の効果】
本発明は、既設の単独処理浄化槽を利用することにより合併処理を可能としたので、単独処理浄化槽を処分して新たに合併処理浄化槽を設置するよりも、安価に合併処理を行うことが可能であり、単独処理浄化槽を処分する必要もなくなる。また、合併処理化装置に流量調整槽を設けた場合には、安定した排水処理を行うことができ、特に合併処理化装置と流量調整槽とを一体化せず別体として配管接続した場合には、流量調整槽のみを地下埋設すればよいので、設置を容易に安価に行うことができる。更に、浴槽排水配管を設けた場合は、合併処理化装置への負担が少なくなり、合併処理化装置を小型化することができる。
【図面の簡単な説明】
【図１】本発明の実施例を示す、合併処理化装置を単独処理浄化槽に配管接続したものであり、（ａ）は概略平面図を示し、（ｂ）は概略側断面図を示す。
【図２】図１に示す合併処理化装置に浴槽排水配管を設けた合併処理化装置の概略平面図を示す。
【図３】本発明の合併処理化装置に、流量調整槽を設けた場合の概略側断面図を示す。
【図４】図３に示す合併処理化装置に、流量調整弁を有した浴槽排水配管を接続した概略側断面図を示す。
【図５】本発明の実施例である、合併処理化装置と流量調整槽とを一体化せずに配管接続した合併処理化装置の概略側断面図を示す。
【図６】従来例を示す、分離接触ばっ気方式の単独処理浄化槽を示す概略断面図である。
【符号の説明】
１．単独処理浄化槽                    ２．流入口
３．沈殿分離室                        ４．接触ばっ気室
５．沈殿室                            ６．消毒室
７．散気管                            ８．接触材
９．逆洗管                            １０．流出口
１１．第１流入口                      １２．第１流出口
１３．第２流入口                      １４．第２流出口
１５．合併処理化装置                  １６．消毒室
１７．生物濾過槽                      １８．生物反応部
１９．濾過部                          ２０．散気部材
２１．散気部材                        ２２．嫌気処理室
２３．移送ポンプ                      ２４．洗浄排水移送管
２５．接触ばっ気室                    ２６．浴槽排水配管
２７．流量調整弁                      ２８．流量調整槽
２９．沈殿室                          ３０．通水部材
３１．通水部材                        ３２．通水部材
３３．洗浄排水引抜口                  ３４．処理水貯留部
３５．ポンプ                          ３６．消毒槽
３７．流量調整槽                      ３８．移流管
【図１】
0004169897.tif 000002
【図２】
0004169897.tif 000003
【図３】
0004169897.tif 000004
【図４】
0004169897.tif 000005
【図５】
0004169897.tif 000006
【図６】
0004169897.tif 000007